(57)【特許請求の範囲】
【請求項１】
被覆電線に引っ掛ける引掛部と、この引掛部に対して接近・離反させることにより前記被覆電線を前記引掛部との間で挟持または開放する可動部と、前記可動部に固定されて前記被覆電線の被覆に切り込み可能とする第１乃至第３の刃体とを備え、前記第１の刃体は、刃先が前記被覆電線の延長方向と平行に延在するように配置され、また、前記第２及び第３の刃体は、前記第１の刃体の両側に配置されると共に、刃先が前記被覆電線の延長方向と直交する方向に延在するように配置され、前記第１乃至第３の刃体を前記被覆電線の被覆に食込ませた状態で、前記可動部を前記被覆電線の周りに回転させて前記被覆電線の被覆を所定巾にて剥離し、この剥ぎ取られた前記被覆を前記第１の刃体の外側に放出させるようにしている電線被覆剥取器に用いられる被覆脱落防止具であって、
前記可動部の両側に固定手段にて固定される一対の取付部と、この一対の取付部の間に一体に設けられ、前記可動部の前記第１の刃体の近傍から前記第１の刃体の外側を覆うように湾曲し、前記剥ぎ取られた被覆を保持可能とする一対の保持片とを備え、前記一対の保持片は前記第１の刃体の巾方向に所定の間隔を空けて設けられ、
前記一対の保持片は、可撓性部材により構成されると共に、前記第１の刃体の刃先の外側において巾方向に延びる架橋片により連接され、
前記第１の刃体の刃先の外側は、前記架橋片により覆われていることを特徴とする被覆脱落防止具。
【請求項２】
前記架橋片は、前記第１の刃体から離れるように前記保持片の湾曲方向とは反対側に湾曲されていることを特徴とする請求項１記載の被覆脱落防止具。
【請求項３】
請求項１又は２のいずれかの被覆脱落防止具を電線被覆剥取器に取り付けてなる電線被覆剥取工具。
【発明の詳細な説明】
【技術分野】
【０００１】
本発明は、架設された被覆電線の中間部分の被覆を剥ぎ取る場合に用いられる電線被覆剥取器に取り付けられる被覆脱落防止具と、これを電線被覆剥取器に取り付けて構成された電線被覆剥取工具に関する。
【背景技術】
【０００２】
電柱間に架設される被覆電線において、高圧引下線用コネクタや接地短絡器具を取り付けるために、電線の中間部分において、電線の被覆を剥離することによって芯線を露出させる作業が必要となる。これらの作業においては、安全を確保するために、間接活線工具を用いて操作することが可能な電線被覆剥取器が用いられる（特許文献１，２等参照）。
【０００３】
図６は、従来の電線剥取器の一例を示すものであり、電線被覆剥取器１は、コの字形状に形成された本体部２と、この本体部２の内側で上下動する可動部３と、この可動部３を上下動させる調節機構４とを有して構成されている。  本体部２は、コの字形状の上部に位置し、電線に引掛ける引掛部２１と、この引掛部２１の下方に対向して配置され、コの字形状の下部に位置する基台部２２と、これら引掛部２１と基台部２２のそれぞれの一側端を連結するように設けられた側部２３と、を備えて構成されている。
【０００４】
本体部２の側部２３には、補助棒２４が固定され、この補助棒２４の先端にアイボルト２５が固装されている。
【０００５】
可動部３は、本体部２の引掛部２１と基台部２２との間に位置して調節機構４により上下動されるもので、ベース部材３１とその両脇に固定された側板３２とを備えている。
【０００６】
調節機構４は、可動部３に回転自在に連結され、基台部２２に形成されたネジ穴を貫通して、基台部２２に対して螺進退可能に取り付けられている主軸４１と、主軸４１の下部に相対回転不能に連結されて絶縁操作棒の先端に取り付けられたフックを差込・係合可能にリング穴４２が開口されたアイハンドル４３とを備えている。
【０００７】
したがって、調節機構４のアイハンドル４３を回転させることにより、主軸４１を本体部２に対して上下動させることができ、可動部３を引掛部２１に対して接近、離反させることができるようになっている。
【０００８】
この可動部３には、ベース部材３１の巾方向のほぼ全域に亘って電線の延長方向と平行をなすように設けられた主刃（第１の刃体）３４が固定され、また、主刃３４の両脇においてベース部材３１と側板３２との間に該側板３２と平行をなすように設けられた（電線に対して直交するように設けられた）補助刃（第２及び第３の刃体）３５が固定されている。
【０００９】
これら主刃３４と補助刃３５は、可動部３が調節機構４により本体部２の引掛部２１に接近すると、可動部３と引掛部２１との間に位置決めされた被覆電線１００の被覆１００ａに同時に食い込むように設置されている。
【００１０】
なお、可動部３の上部には、引掛部２１の内面に形成された円弧状溝２１ａに位置決めされた電線に対して主刃３４を平行に保ち、主刃３４や補助刃３５が電線の芯線と干渉することを防ぐガード３６が設けられている。このガード３６は、自身に形成されたガード溝３６aに沿って進退可能に側板３２に取り付けられ、ネジ３７で取り付けられているスプリング３８により側板３２に押し付けることで保持されており、この保持位置をガード溝３６ａの範囲で調整することで、被覆が無い部分から被覆がある部分に亘って可動部３が配置される場合でも、主刃を電線に対して平行に維持し、主刃３４や補助刃３５が不用意に芯線に当たらないようにしている。
【００１１】
このような電線被覆剥取器１を用いて電柱間に架設された被覆電線１００の中間部分の被覆を剥ぎ取るには、図７に示されるように、作業者が例えば絶縁ヤットコ１０１などの間接活線把持工具を操作して補助棒２４を把持し、被覆電線の被覆を剥離しようとする部分に電線被覆剥取器１の本体部２の引掛部２１を引っ掛ける（図７（ａ））。その後、作業者は、バインド打ち器１０２をアイハンドル４３のリング穴４２に差し込み、その状態で引掛部２１が電線１００から外れないようにバインド打ち器１０２を下方に引きながら操作してアイハンドル４３を回転させて主軸４１を前進させ、可動部３を引掛部２１に接近させる。
【００１２】
すると、電線１００は引掛部２１と可動部３とによって締付けられて挟持された状態となる。このとき、電線被覆剥取器１の正面側において主刃３４は電線１００の被覆１００ａに食い込んだ状態となり、また、補助刃３５は、主刃３４の両脇で電線１００の被覆１００ａに食込んだ状態となり、主軸４１のアイハンドル４３および補助棒２４のアイボルト２５のいずれかにバインド打ち器１０２を差し込んで、電線被覆剥取器１を電線１００の回りに回転させることで、主刃３４の幅で電線１００の被覆１００ａを剥ぎ取ることが可能となる（図７（ｂ））。この場合、剥ぎ取られた被覆１００ａは、図７（ｃ）に示されるように、主刃３４の外側（可動部３の正面側）に可動部３を覆うように放出される。
【先行技術文献】
【特許文献】
【００１３】
【特許文献１】特開２０１０−２２１８２号公報
【特許文献２】特開２０１２−３９７５０号公報
【発明の概要】
【発明が解決しようとする課題】
【００１４】
このように、剥ぎ取られた被覆１００ａは主刃３４の外側に放出されるので、電線や電線被覆剥取器の振動により、放出された被覆を落下させてしまうことがある。このため、剥ぎ取った被覆の落下を防ぐために慎重な作業が要請され、また、絶縁ヤットコを用いて放出された被覆を撤去するなどの作業が必要となり、作業労力を要するものであった。
【００１５】
本発明は係る事情に鑑みてなされたものであり、被覆電線から剥ぎ取った被覆の落下を確実に防止でき、また、剥ぎ取った後に絶縁ヤットコ等の他の間接活栓工具を用いて剥ぎ取った被覆を撤去することを不要とすることで作業労力の軽減、作業効率の向上を図った被覆脱落防止具とこれを電線被覆剥取器取り付けて構成された電線被覆剥取工具を提供することを主たる課題としている。
【課題を解決するための手段】
【００１６】
上記課題を達成するために、本発明に係る被覆脱落防止具は、被覆電線に引っ掛ける引掛部と、この引掛部に対して接近・離反させることにより前記被覆電線を前記引掛部との間で挟持または開放する可動部と、前記可動部に固定されて前記被覆電線の被覆に切り込み可能とする第１乃至第３の刃体とを備え、前記第１の刃体は、刃先が前記被覆電線の延長方向と平行に延在するように配置され、また、前記第２及び第３の刃体は、前記第１の刃体の両側に配置されると共に、刃先が前記被覆電線の延長方向と直交する方向に延在するように配置され、前記第１乃至第３の刃体を前記被覆電線の被覆に食込ませた状態で、前記可動部を前記被覆電線の周りに回転させて前記被覆電線の被覆を所定巾にて剥離し、この剥ぎ取られた前記被覆を前記第１の刃体の外側に放出させるようにしている電線被覆剥取器に用いられるものであって、前記可動部の両側に固定手段にて固定される一対の取付部と、この一対の取付部の間に一体に設けられ、前記可動部の前記第１の刃体の近傍から前記第１の刃体の外側を覆うように湾曲し、前記剥ぎ取られた被覆を保持可能とする一対の保持片とを備え、前記一対の保持片は前記第１の刃体の巾方向に所定の間隔を空けて設けられ、前記一対の保持片は、可撓性部材により構成されると共に、前記第１の刃体の刃先の外側において巾方向に延びる架橋片により連接され、前記第１の刃体の刃先の外側は、前記架橋片により覆われていることを特徴としている。
【００１７】
したがって、第１乃至第３の刃体によって剥ぎ取られた被覆は、第１の刃体の外側に放出される過程で被覆脱落防止具の一対の湾曲された保持片とこれと一体をなす両端の取付板との間に形成される空間に挿入され、一対の保持片によって被覆の外周が保持される。したがって、剥ぎ取られた被覆をしっかり保持することが可能となり、脱落する恐れをなくすことが可能となる。
【００１８】
また、被覆脱落防止具で保持された被覆は、一対の保持片が第１の刃体の巾方向に所定の間隔を空けて設けられているので、保持片と保持片との間の隙間に指を入れて保持されている被覆を押すことで取り外すことが可能となる。
【００１９】
この際、被覆脱落防止具の一対の保持片は、可撓性部材により構成されているので、剥ぎ取られた被覆を保持する場合や、保持された被覆を被覆脱落防止具から取り外す場合に弾性変形させることが可能となる。このため、剥ぎ取られた被覆をしっかり保持することが可能となり、また、被覆を押すことで保持部５２から取り外すことが可能となる。
【００２０】
また、前記一対の保持片は、第１の刃体の刃先の外側において巾方向に延びる架橋片により連接され、第１の刃体の刃先の外側は、前記架橋片により覆われているので、被覆脱落防止部の持ち運び時や被覆の取り外し時等において、誤って第１の刃体に指が触れる恐れがなくなる。
なお、前記架橋片を、前記第１の刃体から離れるように前記保持片の湾曲方向とは反対側に湾曲させることで、剥ぎ取られた被覆を保持片５２ｂの内側へ導きやすくするとよい。
【発明の効果】
【００２１】
以上述べたように、本発明に係る被覆脱落防止具およびこれを取り付けた電線被覆剥取工具を用いれば、剥ぎ取った被覆の落下を確実に防止することができ、剥ぎ取った後に絶縁ヤットコ等の他の間接活栓工具を用いて剥ぎ取った被覆を撤去することが不要となり、また、保持された被覆を被覆脱落防止具から取り外す場合に、一対の保持片の間に指を入れて保持されている被覆を押すことで取り外すことが可能となる。このため、作業労力を軽減することができ、また、作業効率の向上を図ることが可能となる。
また、第１の刃体の刃先が架橋片により覆われているので、被覆脱落防止部の持ち運び時や被覆の取り外し時等において、誤って第１の刃体に指が触れる恐れがなくなる。
【図面の簡単な説明】
【００２２】
【図１】図１は、本発明に係る被覆脱落防止具を電線被覆剥取器に取り付けた電線被覆剥取工具を示す図であり、（ａ）はその側面図、（ｂ）は、（ａ）のＡ方向から見た可動部付近を示す図、（ｃ）は、（ａ）のＢ方向から見た可動部付近を示す図である。
【図２】図２は、本発明に係る被覆脱落防止具を示す図であり、（ａ）はその平面図、（ｂ）はその正面図、（ｃ）はその底面図で、（ｄ）はその左側面図、（ｅ）はその右側面図、（ｆ）はその背面図である。
【図３】図３は、本発明に係る被覆脱落防止具を示す参考斜視図である。
【図４】図４は、本発明に係る被覆脱落防止具を取り付けた電線被覆剥取工具を用いて電線の被覆を剥ぎ取る工程を示す図であり、（ａ）は被覆に刃体を食込ませた状態を示す図、（ｂ）は被覆を剥ぎ取った後の状態を示す図である。
【図５】図５は、本発明に係る被覆脱落防止具に保持された被覆を取り外す作業を示す図であり、（ａ）はその側面図、（ｂ）はその平面図である。
【図６】図６は、従来の電線被覆剥取器を示す図であり、（ａ）はその正面図、（ｂ）はその側面図である。
【図７】図７は、従来の電線被覆剥取器を用いて被覆電線の被覆を剥ぎ取る作業を説明する図であり、（ａ）は電線被覆剥取器を被覆電線に引っ掛けて電線を引掛部と可動部とによって挟持する状態を示す図、（ｂ）は電線被覆剥取器を被覆電線の周囲を回転させる状態を示す図、（ｃ）は剥ぎ取った被覆が主刃の外側に放出された状態を示す図である。
【発明を実施するための形態】
【００２３】
以下、本発明の実施形態について図面を参照しながら説明する。
図１において、電線被覆剥取用工具は、被覆電線の途中の被覆を剥ぎ取る電線被覆剥取器１と、剥ぎ取った被覆を脱落しないように保持する被覆脱落防止具５とを具備して構成されている。
【００２４】
電線被覆剥取器１は、それ自体公知のもので、コの字形状に形成された本体部２と、この本体部２の内側で上下動する可動部３と、この可動部３を上下動させる調節機構４とを有して構成されている。
【００２５】
本体部２は、コの字形状の上部に位置して被覆電線に引掛ける引掛部２１と、この引掛部２１の下方に対向して配置され、コの字形状の下部に位置する基台部２２と、これら引掛部２１と基台部１１のそれぞれの一側端を連結するように設けられた側部２３と、を備えて構成されている。
【００２６】
引掛部２１は、基台部２２と対峙する内面となる下面に幅方向に延在する円弧状溝２１ａが形成され、架線（被覆電線）に引っ掛けることができるようになっている。本体部２の側部２３には、引掛部２１や基台部２２の延設方向と反対方向へ延設された補助棒２４が本体部２に対してネジ止め等の手段によって固定され、この補助棒２４の先端にアイボルト２５が固装されている。
【００２７】
可動部３は、本体部２の引掛部２１と基台部２２との間に位置して調節機構４により上下動されるベース部材３１と、このベース部材３１の両側にボルト３９によって固定された側板３２と、この側板３２の後端部に位置し、前記側部２３の背面側において、側板３２間に架設支持された背面バー４０とを備えている。
【００２８】
調節機構４は、可動部１３のベース部材３１の下端面に回転自在に連結され、基台部２２に形成されたネジ穴を貫通して、基台部２２に対して螺進退可能に取り付けられている主軸４１と、主軸４１の下部に相対回転不能に連結されて絶縁操作棒の先端に取り付けられたフックを差込・係合可能なリング穴４２が開口されたアイハンドル４３とを備えている。
【００２９】
したがって、可動部３は、調節機構４のアイハンドル４３のリング穴４２にフックなどを挿し込んで回転させることにより、主軸４１を本体部２に対して上下動させることができ、その主軸４１の上部に連設されているベース部材３１を背面バー４０により本体部２の側部２３から離隔することを制限しつつ引掛部２１に対して接近、離反させることができるようになっている。
【００３０】
前記可動部３には、ベース部材３１の本体部２の側部２３から離れた側に、双方の側板３２の内面近傍にかけて延在して側部２３と対面するように配置された主刃（第１の刃体）３４がベース部材３１にネジ止めされている。また、主刃３４の両端と側板３２との間にはその側板３２と平行をなす補助刃（第２、第３の刃体）３５が前記側板３２をベース部材３１に取り付けるボルト３９によってベース部材３１の両側面に固定されている。
【００３１】
これら主刃３４や補助刃３５は、プレート状に形成されて引掛部２１に向けられた片に刃先３４ａ，３５ａが向けられ、主刃３４は、対をなす補助刃３５の間に延在して刃先３４ａが引掛部２１と可動部３との間に挟持される被覆電線の延長方向と平行をなすように設けられ、また、補助刃３５は、刃先３５ａが被覆電線に対して直交するように設けられている。
【００３２】
この主刃３４は、可動部３が調節機構４により本体部２の引掛部２１に接近すると、その引掛部２１の円弧状溝２１ａ内に位置決めされた被覆電線の被覆に側部２３から離れた側に平行に食い込むように設置されている。また、補助刃３５は、可動部３が調節機構４により引掛部２１に接近すると、主刃３４の両側で、被覆電線の被覆に電線の延長方向と直交する方向に、同時に食い込むように設置されている。
【００３３】
なお、３６は、可動部３の主刃３４の長手方向両端に対応した位置に設けられるガードである。このガード３６は、自身に形成されたガード溝３６ａにネジ３７を挿通させてガード溝３６ａに沿って進退可能に可動部３に取り付けられているもので、ネジ３７に外装されるスプリング３８により側板３２に押し付けることで保持されている。このガード３６の保持位置をガード溝３６ａの範囲で調整することで、電線の被覆が無い部分から被覆がある部分に亘って可動部３が配置される場合でも、主刃３４を電線に対して平行に保ち、主刃３４や補助刃３５が電線の芯線と干渉することを防ぐようにしている。
【００３４】
このような電線被覆剥取器１に取り付けられる被覆脱落防止具５は、図２及び図３に示されるように、可動部３の両側板３２に取り付けられる一対の取付部５１と、この一対の取付部５１の間に一体に形成された保持部５２とから構成されている。
【００３５】
取付部５１は、板状に形成されているもので、可動部３の側板３２を固定するために設けられている既設の前記ボルト３９が挿通可能な通孔５１ａが形成されている取付基板部５１ｂとこの取付基板部５１ｂから所定長延設されて保持部５２を支持する支持板部５１ｃとから構成されている。
【００３６】
保持部５２は、前記取付部５１（支持板部５１ｃ）の取付基板部５１ｂと反対側の端部に連結片５２ａを介して中間部が一体に連結され、側板３２に対して所定の間隔を空けて略平行に延設された一対の保持片５２ｂとを有して構成されている。保持片５２ｂは、連結片５２ａを境にしてその両側に延設されているもので、一対の取付部５１（支持板部５１ｃ）の中程を結ぶ仮想線を中心とするように湾曲された（取付部が内側となるように湾曲された）円弧状に形成されている。また、一対の保持片５２ｂは、一端部同士が架橋片５２ｃによって一体に連接されている。この保持部５２の保持片５２ｂは、合成樹脂などの弾性変形可能な可撓性部材で構成されている。
【００３７】
一対の取付部５１の間隔は、前記主刃３４の巾寸法よりも僅かに大きく設定され、また、一対の保持片５２ｂの間隔は、前記主刃３４の巾寸法よりも短くなっているが、保持片間に指が２，３本入る程度の間隔に設定されている。したがって、剥ぎ取られた被覆は、前記一対の取付部５１間に収容され、また、一対に保持片５２ｂにより周囲が保持されるようになっている。
【００３８】
また、前記一対の保持片５２ｂは、被覆電線の径に対応した、または、被覆電線の径よりも幾分大きい曲率半径を有する内面を備えた弧状に形成され、この例では、約１８０度の円周角の範囲に亘って設けられている。また、保持部５２の架橋片５２ｃが設けられた端部（架橋片５２ｃの側縁）は主刃３４から離れるように外側に湾曲されて剥ぎ取られた被覆を保持片５２ｂの内側へ導きやすくしている。
【００３９】
このような被覆脱落防止具５を前述した電線被覆剥取器１に取り付けるには、図１に示されるように、側板３２や補助刃３５をベース部材３１に固定するために用いられているボルト３９を利用して側板３２の一部に重ね合わせるように取付部５１の取付基板部５１ｂを固定し、保持部５２の主刃側の端部（架橋片５２ｃ）が主刃３４の外側を覆い、架橋片５２ｃと主刃３４の刃先３４ａとの間には隙間が形成されるようになっている。
【００４０】
したがって、保持部５２は、可動部３の主刃３４の近傍から被覆を受け入れることができるよう主刃３４の外側（正面側）を覆うように湾曲し、剥ぎ取られた被覆を一対の保持片５２ｂで保持できるようになっている。
【００４１】
以上の構成において、上述した電線被覆剥離工具（被覆脱落防止具５が取り付けられた電線被覆剥取器１）を用いて電柱間に架設された被覆電線１００の中間部分の被覆を剥ぎ取るには、図４に示されるように、従来と同様、被覆電線１００の被覆１００ａを剥離しようとする部分に電線被覆剥取器１の本体部２の引掛部２１を引っ掛け、その後、バイド打ち器等でアイハンドル４３を回転させて主軸４１を前進させ、可動部３を引掛部２１に接近させる。
【００４２】
すると、被覆電線１００は引掛部２１と可動部３とによって締付けられて挟持された状態となり、電線被覆剥取器１の正面側において主刃３４が電線１００の被覆１００ａに食い込み、また、補助刃３５が主刃３４の両脇で電線１００の被覆１００ａに食い込む（図４（ａ））。そして、その状態で電線被覆剥取器１を電線１００の回りに回転させることで、主刃３４の幅で電線１００の被覆１００ａが剥ぎ取られ、剥ぎ取られた被覆１００ａは、そのまま被覆脱落防止具５の保持片５２ｂの内側に導かれ、保持片５２ｂを弾性変形させつつ、可動部３、取付部５１、及び保持部５２の間に形成される空間に収容され、一対の保持片５２ｂによって外周が保持される（図４（ｂ））。したがって、剥ぎ取られた被覆１００ａを被覆脱落防止具５でしっかり保持することが可能となり、脱落する恐れをなくすことが可能となる。
【００４３】
その後、アイハンドル４３を回して主軸４１を回転させ、可動部３を引掛部２１から遠ざかるよう動かして電線の挟持状態を緩め、電線被覆剥取器１を電線から取り外し、そのまま電線被覆剥取器１の可動部３に取り付けられている被覆脱落防止具５を作業者の手元まで下ろす。
【００４４】
被覆脱落防止具５で保持された被覆１００ａは、一対の保持片５２ｂによって主刃（第１の刃体）３４の巾方向に所定の間隔を空けて保持されているので、図５に示されるように、被覆脱落防止具５の両脇を親指と薬指または小指で把持し、人差指と中指を保持片５２ｂと保持片５２ｂとの間の隙間に入れて被覆１００ａを押せば、保持片５２ｂが弾性変形して被覆１００ａを保持部５２から取り外すことが可能となる。
【００４５】
したがって、被覆１００ａを剥ぎ取った後に被覆の落下を避けるために、絶縁ヤットコ等の他の間接活栓工具を用いて剥ぎ取った被覆を撤去する作業が不要となり、作業労力を軽減することができ、また、作業効率の向上を図ることが可能となる。
【００４６】
また、上述の被覆脱落防止具５が取り付けられた電線被覆剥離工具によれば、主刃（第１の刃体）３４の刃先の外側が、被覆脱落防止具５の一対の保持片５２ｂを連接する架橋片５２ｃにより覆われるので、被覆脱落防止具５の持ち運び時や被覆１００ａの取り外し時等において、誤って主刃（第１の刃体）３４に指が触れる恐れがなくなり、切創災害の防止にも効力がある。
【符号の説明】
【００４７】
１  電線被覆剥取器
３  可動部
５  被覆脱落防止具
２１  引掛部
３４  主刃
３５  補助刃
５１  取付部
５２ｂ  保持片
５２ｃ  架橋片
１００  被覆電線
１００ａ  被覆
【図１】
0005946851.tif 000002
【図２】
0005946851.tif 000003
【図３】
0005946851.tif 000004
【図４】
0005946851.tif 000005
【図５】
0005946851.tif 000006
【図６】
0005946851.tif 000007
【図７】
0005946851.tif 000008